(57)【要約】【課題】リハビリテーションとしての単純な作業活動でありながら患者が飽きずに持続でき、なおかつ患者が自らの創意工夫を発揮できるリハビリテーション補助用具を提供する。【解決手段】平面状の基体の両面に人体８及び服飾品の絵もしくは写真を印刷し、一方の面に印刷した絵もしくは写真の外形及び印刷位置は、もう一方の面に印刷した絵もしくは写真の外形及び印刷位置と対称の関係にあり、前記人体８に異なる服飾品を装着して種々着せ換え行為を行うことによりリハビリテーションに供する。【選択図】図５
2007082929.tif 000002
【特許請求の範囲】
【請求項１】
人体を表面と裏面に模式的に描出した平面状の基体と、
前記基体に装着され且つ表面と裏面に異なる図柄が描出された装飾体とからなり、前記装飾体を異なる態様で複数種用意し、
前記基体に装着することにより訓練を行うことを特徴とするリハビリテーション補助用具。
【請求項２】
請求項１記載のリハビリテーション補助用具において、
前記装飾体の一部は基体に描出された人体の頭部に挿入されて肩部に懸架される衣服の形状であることを特徴とするリハビリテーション補助用具。
【発明の詳細な説明】
【技術分野】
【０００１】
本発明は、生活に支障をきたしている、あるいはきたすことが予想される人を対象としたリハビリテーションの補助を目的とした用具に関する。
【背景技術】
【０００２】
身体や心に障害を持つ患者のリハビリテーションとして、従来より様々な作業療法があり、その一つとして指の動きを良くする、精神面を活性化する（やる気が起きる）等の改善を図るために、単純な用具を用いたり、あるいは手工芸を用いた作業活動がある（特許文献１参照）。
【０００３】
【特許文献１】特開２００３−９３７４９号公報
【発明の開示】
【発明が解決しようとする課題】
【０００４】
前記特許文献１に開示されている「リハビリテーションを目的とした人形」の如く単純な作業活動は、対象となる患者が老人から子供までと幅が広く、多くの患者が参加できるという利点がある一方で、単純な作業活動であるゆえに飽きてしまい、リハビリテーションが持続しないという問題点があった。
【０００５】
また、手工芸では作業内容が複雑すぎたり、あるいはその手工芸の内容によって興味を抱く対象者が限られたりした。
【０００６】
そこで、本発明は、単純な作業でありながら、老人から子供まで多くの患者が飽きずに興味を抱いてリハビリテーションを持続させ、なおかつ患者が自らの創意工夫を発揮し、さらに自発的に作業活動に参加するリハビリテーション補助用具を提供することを目的とする。
【課題を解決するための手段】
【０００７】
本発明は、人体を表面と裏面に描出した平面状の基体と、前記基体に装着され且つ表面と裏面に異なる図柄が描出された装飾体とからなり、前記装飾体を異なる態様で複数種用意し、前記基体に装着することにより訓練を行うことを特徴とする。
【０００８】
また、本発明は、前記装飾体の一部は基体に描出された人体の頭部に挿入されて肩部に懸架される衣服の形状であることを特徴とする。
【発明の効果】
【０００９】
本発明によれば、平面状の基体に対して異なる図柄の装飾体を着脱することにより、指先の訓練が行われ、しかも、飽きることなく持続させることが可能である。
【００１０】
しかも、基体に対して懸架可能な装飾体を用い肩部に装着すると、よりこの補助用具を現実の人体の着せ換えに対応させることができ、リハビリテーションの効果が一層高まる。
【発明を実施するための最良の形態】
【００１１】
以下、本発明の実施の形態に係るリハビリテーション補助用具について、添付の図に基づいて説明する。
【００１２】
図１には、切断可能な紙体２の両面である表面４と裏面６が示されている。
【００１３】
本実施の形態では、表面４には基体としての人体８、装飾品としてショルダーバッグ１０、鬘１２、帽子１４が印刷されている。
【００１４】
裏面６には、人体８の後ろ姿１６、ショルダーバッグ１０の裏面１８、鬘１２の裏面２０、帽子１４の裏面２２が各々印刷されている。このとき鬘１２は前髪１２ａと後ろ髪１２ｂが頭頂部を接点にして対を成しており、帽子１４も前面１４ａと後面１４ｂが頭頂部を接点にして対を成している。
【００１５】
また、これら表面４と裏面６に印刷された絵もしくは写真は、切り取った時にずれが生じないように、その外形と印刷位置が表面４と裏面６において互いに対応した関係にある。
【００１６】
もちろん、装飾品としてその他に靴や手袋、マフラー等も印刷して使用することは可能である。
【００１７】
また、本実施の形態においては、前記紙体２に人体８を立てる台座２４が印刷されており、該台座２４には折曲線２６ａ、２６ｂ、２６ｃと切込線２８が各々印刷されている。
【００１８】
次に、本実施の形態の使用方法を説明する。
【００１９】
まず、紙体２に印刷された人体８、ショルダーバッグ１０、鬘１２、帽子１４を、各々外形に沿ってハサミで切り取る。
【００２０】
さらに台座２４を紙体２から切り離した上で切込線２８に切り込みを入れ、中央の折曲線２６ｂを山折りにし、折曲線２６ａ、２６ｃは谷折りにして台座とする（図２参照）。
【００２１】
次に、人体８に着せる衣服を作る方法を、図３並びに図４を参照して説明する。
【００２２】
まず、紙体３０をステップ１のように４つに折り畳む。そのうえで、ステップ２の如く人体８の右半身もしくは左半身に合わせて衣服の右半身もしくは左半身の形に切断する。切断した紙片を広げると、ステップ３の如く衣服の前身頃と後ろ身頃が肩３２を中心に展開した衣服３４となる（図３参照）。
【００２３】
次に、図４のステップ４のように、展開した衣服３４を、右半身と左半身を合わせるように二つに折る。その上で、肩３２を折り曲げ箇所から適当な幅に切り欠いて襟ぐり３６を作る。
【００２４】
再び、衣服３４をステップ５のように展開し、そして肩３２で二つに折り曲げるとステップ６の如く人体８に着せる衣服３４の完成である。
【００２５】
図５のように、完成した衣服３４の襟ぐり３６を、前記人体８の頭部に通して着せ、さらに紙体２から切り取ったショルダーバッグ１０のショルダー紐を人体８の腕に通し、鬘１２を頭頂部で二つに折って人体８の頭に乗せ、次に帽子１４を頭頂部で二つに折って鬘１２の上から乗せる。
【００２６】
そして、それらの衣服等を装着した人体８を、前記台座２４の切込線２８にを差し込んで立たせると完成となり、これら一連の作業活動が患者のリハビリテーションとなる。
【００２７】
本実施の形態によれば、患者独自のデザインと創意工夫で様々な種類の衣服が作製できることは明らかであり、さらに予め様々な衣服の作り方を示した説明書を用意しておけば、誰でもそれを参考にバリエーションの豊富な、例えばワンピース、シャツ、エプロンの如き衣服を作ることができるので飽きることはない。
【００２８】
また、製作したそれらの衣服に、リボンやポケット、さらには毛糸等の別の素材で装飾することもでき、患者本人の創意工夫を多いに発揮することが可能となる。
【００２９】
また、それらの衣服や服飾品の組み合わせによって、様々なコーディネートを楽しむこともできる。
【００３０】
さらには、切り取り作業に失敗したとしても、身近にある安価な材料であるために簡単にやり直すこともでき、患者に精神的負担を与えずに安心して作業活動ができる。
【００３１】
また、リハビリテーションが楽しいと患者の会話も増え、同じリハビリテーションをしている患者同士での友人作りや、リハビリテーションへの積極的な参加も期待できる。
【００３２】
さらに、この実施の形態によれば、ハサミのみで作業活動が完了するので、患者への安全配慮という点で優れている。
【００３３】
また、これらの作業活動を進める上で、患者の反応や状態を作業療法士等が観察して、その内容、例えば、作業開始時の反応、理解度と作業遂行量、作製数と創造性、参加時間量等を作業経過記録表等に記入しておけば、患者の改善具合等が把握しやすくなる。
【図面の簡単な説明】
【００３４】
【図１】本実施の形態にかかるリハビリテーション補助用具の表面と裏面を示した図。
【図２】本実施の形態にかかるリハビリテーション補助用具の使用例を示す斜視図。
【図３】本実施の形態にかかる衣服の製作方法を示す説明図。
【図４】本実施の形態にかかる衣服の製作方法を示す説明図。
【図５】本実施の形態にかかるリハビリテーション補助用具の使用例を示す斜視図。
【符号の説明】
【００３５】
２…紙体                            ４…表面
６…裏面                            ８…人体
１０…ショルダーバッグ              １２…鬘
１２ａ…前髪                        １２ｂ…後ろ髪
１４…帽子                          １４ａ…前面
１４ｂ…後面                        １６…人体８の後ろ姿
１８…ショルダーバッグ１０の裏面    ２０…鬘１２の裏面
２２…帽子１４の裏面                ２４…台座
２６ａ〜２６ｃ…折曲線              ２８…切込線
３０…紙体                          ３２…肩
３４…衣服                          ３６…襟ぐり
【図１】
2007082929.tif 000003
【図２】
2007082929.tif 000004
【図３】
2007082929.tif 000005
【図４】
2007082929.tif 000006
【図５】
2007082929.tif 000007